(57)【要約】【課題】汎用ビットを使用可能とし、また、汎用ビットを用いた場合であっても、岩盤等の硬岩部の状況に合わせて適切な種類の汎用ビットに適宜交換可能なさく孔装置用アダプタおよびさく孔装置を提供する。【解決手段】このアダプタ１０Ａは、個別に着脱可能な複数の汎用ビット２１，２２から構成されるさく孔用ビット２０を、さく岩機ユニット（さく孔装置）１のロッド６の先端に装着するためのものであり、複数の汎用ビット２１，２２のうち、第一のビット２１を、軸心ＣＬと同軸に配置し、複数の第二のビット２２を、第一のビット２１に沿って前記軸心ＣＬの同心円ＣＣ上での周方向に等配するとともに、第一のビット２１よりもその軸方向での基端側に配設するようになっている。【選択図】図１
2008106527.tif 000002
【特許請求の範囲】
【請求項１】
個別に着脱可能な複数の汎用ビットから構成されるさく孔用ビットが先端に装着されるロッドを備え、前記さく孔用ビットにさく孔に必要な回転およびフィード力を前記ロッドを介して伝達可能なさく孔装置に用いられ、前記さく孔用ビットを前記ロッドの先端に装着するためのアダプタであって、
前記複数の汎用ビットのうち、第一のビットを、前記ロッドの軸心と同軸に配置し、複数の第二のビットを、前記第一のビットに沿って前記軸心の同心円上での周方向に等配するとともに、前記第一のビットよりもその軸方向での基端側に配設するようになっていることを特徴とするさく孔装置用アダプタ。
【請求項２】
前記第一および第二のビットは、いずれも当該アダプタを介して前記ロッドの先端に装着されるようになっていることを特徴とする請求項１に記載のさく孔装置用アダプタ。
【請求項３】
前記第一のビットは、前記ロッドの先端に直接装着され、前記第二のビットは、当該アダプタを介して前記ロッドの先端に装着されるようになっていることを特徴とする請求項１に記載のさく孔装置用アダプタ。
【請求項４】
前記複数の第二のビットは、前記ロッドに対し、その軸方向では所定の範囲で相対移動可能であり、相対回転は拘束されるように装着されるようになっていることを特徴とする請求項１〜３のいずれか一項に記載のさく孔装置用アダプタ。
【請求項５】
前記複数の第二のビットそれぞれは、自転可能に装着されるようになっていることを特徴とする請求項１〜４のいずれか一項に記載のさく孔装置用アダプタ。
【請求項６】
装着可能な前記複数の第二のビットの等配数が４であり、その軸方向から見た形状が十文字形状になっていることを特徴とする請求項１〜５のいずれか一項に記載のさく孔装置用アダプタ。
【請求項７】
複数の汎用ビットから構成されるさく孔用ビットが先端に装着されるロッドと、前記さく孔用ビットを前記ロッドの先端に装着するためのアダプタとを備え、前記さく孔用ビットにさく孔に必要な回転およびフィード力を前記ロッドを介して伝達可能なさく孔装置であって、
前記アダプタとして、請求項１〜６のいずれか一項に記載のさく孔装置用アダプタを用いていることを特徴とするさく孔装置。
【発明の詳細な説明】
【技術分野】
【０００１】
本発明は、例えばトンネル建設現場等において、主に発破工法や割岩工法を用いる際のさく孔用として好適なさく孔装置用アダプタおよびさく孔装置に関する。
【背景技術】
【０００２】
例えばトンネル建設現場では、岩盤等の硬岩部でのトンネルの掘削工法として、発破工法や割岩工法が採用されることが多い。例えば発破工法は、トンネルの切羽の中心にさく孔装置で心抜き（心貫き）孔をさく孔し、さらに、その周囲に形成した爆薬装填孔内にダイナマイト等の爆薬を装填し、これを爆破させて掘削を行う。
この種の掘削工法で心抜き孔をさく孔する際には、通常、さく孔装置のロッド先端に対し、親ビット、子ビットなどの特殊ビットやアダプタ等を適宜換装して所望のさく孔が行われている（例えば特許文献１での図５参照）。
【特許文献１】特開平１１−２１８４６号公報
【発明の開示】
【発明が解決しようとする課題】
【０００３】
しかしながら、上記のような特殊ビットは汎用ビットと比較して高価であり、また、その入手が困難な場合がある。さらに、岩盤等の硬岩部の状況に合わせて適切な特殊ビットに換装する手間も掛かる。
そこで、本発明は、このような問題点に着目してなされたものであって、汎用ビットを使用可能とし、また、汎用ビットを用いた場合であっても、岩盤等の硬岩部の状況に合わせて適切な種類の汎用ビットに適宜交換可能なさく孔装置用アダプタおよびさく孔装置を提供することを目的としている。
【課題を解決するための手段】
【０００４】
上記課題を解決するために、本発明のうち第一の発明は、個別に着脱可能な複数の汎用ビットから構成されるさく孔用ビットが先端に装着されるロッドを備え、前記さく孔用ビットにさく孔に必要な回転およびフィード力を前記ロッドを介して伝達可能なさく孔装置に用いられ、前記さく孔用ビットを前記ロッドの先端に装着するためのアダプタであって、前記複数の汎用ビットのうち、第一のビットを、前記ロッドの軸心と同軸に配置し、複数の第二のビットを、前記第一のビットに沿って前記軸心の同心円上での周方向に等配するとともに、前記第一のビットよりもその軸方向での基端側に配設するようになっていることを特徴としている。
【０００５】
第一の発明に係るさく孔装置用アダプタによれば、さく孔用ビットを、個別に着脱可能な複数の汎用ビットから構成可能になっているので、例えば大口径のさく孔に一般的に用いられる専用の親子ビットを用いなくとも、比較的安価な汎用ビットを複数用い、その複数の汎用ビットから構成されるさく孔用ビットによって大口径のさく孔が可能である。したがって、経済性に優れている。
【０００６】
そして、このさく孔用ビットを構成する複数の汎用ビットは、個別に着脱可能なので、例えばこれを構成する複数の汎用ビット個々の消耗や損傷の程度に応じて個別に交換が可能であり、また、岩盤等の硬岩部の状況に合わせて、装着する汎用ビットの種類（例えば、ボタンビット、クロスビット、超硬チップの硬度等）を適切な種類の汎用ビットに適宜交換可能である。
【０００７】
特に、このさく孔装置用アダプタによれば、複数の汎用ビットを、ロッドの軸心と同軸に配置される第一のビットと、その第一のビットに沿ってその周囲に等配される複数の第二のビットとによって構成するようになっているので、中心に位置する第一のビットを適切な種類の他の汎用ビットに交換したり、あるいは、第二のビットを適切な種類の他の汎用ビットに交換したりすることによって、岩盤等の硬岩部の状況に合わせた好適なビット構成とする上で好適である。
【０００８】
ここで、第一の発明に係るさく孔装置用アダプタにおいて、前記第一および第二のビットは、いずれも当該アダプタを介して前記ロッドの先端に装着されるようになっていることは好ましい。このような構成であれば、さく孔用ビットを構成する第一および第二のビットが共にアダプタに装着されるので、例えばさく孔長を多くとりたい場合に好適である。
【０００９】
なおまた、第一の発明に係るさく孔装置用アダプタにおいて、前記第一のビットは、前記ロッドの先端に直接装着され、前記第二のビットは、当該アダプタを介して前記ロッドの先端に装着されるようになっていることは好ましい。このような構成であれば、第一のビットについてはロッドの先端に直接装着されるので、アダプタを含め、装置の構成を簡素にする上で好適である。
【００１０】
また、第一の発明に係るさく孔装置用アダプタにおいて、前記複数の第二のビットは、前記ロッドに対し、その軸方向では所定の範囲で相対移動可能であり、相対回転は拘束されるように装着されるようになっていることは好ましい。このような構成であれば、当該アダプタの着脱が容易なので、アダプタの換装やそのメンテナンス作業を容易とする上で好適である。
【００１１】
また、第一の発明に係るさく孔装置用アダプタにおいて、前記複数の第二のビットそれぞれは、自転可能に装着されるようになっていることは好ましい。このような構成であれば、例えばＴＢＭ（トンネルボーリングマシン）やシールドマシンのカッタと同様に、第一のビットに沿ってその周囲に等配される第二のビットが個別に自転可能なので、さく孔性能を向上させる上で好適である。
【００１２】
また、第一の発明に係るさく孔装置用アダプタにおいて、装着可能な前記複数の第二のビットの等配数が４であり、その軸方向から見た形状が十文字形状になっていることは好ましい。このような構成であれば、当該アダプタの軸方向から見た形状が十文字形状になっているので、隣接する複数の第二のビット同士の間に軸方向に沿った隙間を設けることができる。そのため、この軸方向に沿った隙間から繰粉を効率よく排出させることができる。したがって、繰粉の排出性を向上させる構成とする上で好適である。
【００１３】
また、本発明のうち第二の発明は、さく孔用ビットが先端に装着されるロッドと、前記さく孔用ビットを前記ロッドの先端に装着するためのアダプタとを備え、前記さく孔用ビットにさく孔に必要な回転およびフィード力を前記ロッドを介して伝達可能なさく孔装置であって、前記アダプタとして、第一の発明に係るさく孔装置用アダプタを用いていることを特徴としている。
【００１４】
第二の発明に係るさく孔装置によれば、第一の発明に係るさく孔装置用アダプタを用いているので、さく孔用ビットを、個別に着脱可能な複数の汎用ビットから構成可能である。そのため、例えば大口径のさく孔に一般的に用いられる専用の親子ビットを用いなくとも、比較的安価な汎用ビットを複数用い、その複数の汎用ビットから構成されるさく孔用ビットによって大口径のさく孔をすることができる。また、第一の発明に係るさく孔装置用アダプタを用いているので、さく孔用ビットを構成する複数の汎用ビットを個別に着脱することができる。そのため、例えばこれを構成する複数の汎用ビット個々の消耗や損傷の程度に応じて個別に交換が可能であり、また、岩盤等の硬岩部の状況に合わせて、装着する汎用ビットの種類を適切な種類の汎用ビットに適宜交換することができる。
【発明の効果】
【００１５】
上述のように、本発明によれば、汎用ビットを使用可能とし、また、汎用ビットを用いた場合であっても、岩盤等の硬岩部の状況に合わせて適切な種類の汎用ビットに適宜交換可能なさく孔装置用アダプタおよびさく孔装置を提供することができる。
【発明を実施するための最良の形態】
【００１６】
以下、本発明の実施形態について、図面を適宜参照しつつ説明する。
図１は本発明に係るさく孔装置の第一の実施形態であるさく岩機ユニットの要部の説明図である。
図１に示すさく岩機ユニット１は、例えばドリルジャンボに装備されて、トンネル内の所定の空間位置に移動可能に構成されている。そして、このさく岩機ユニット１には、さく孔時に不図示のガイドシェル上をフィードされる、公知の油圧式のドリフタ２がガイドシェルの基端側に搭載されている。このドリフタ２の先端には、さく岩機の長手方向に沿って延びるロッド６が配設され、その基端側はドリフタ２に回転可能に保持されており、軸方向へのスライド移動および軸まわりに回転自在に支持されている。
【００１７】
ここで、このロッド６は、基端側がドリフタに保持されるシャンクロッド３と、そのシャンクロッド３と同軸にその先端に装着されるスリーブ４とを有して構成されている。そして、このスリーブ４には、これと同軸にその先端に、ロッド６の軸心ＣＬに沿って延びる横断面が六角形形状の角形軸部５ｂをもつロッド本体５が装着されている。さらに、このロッド本体５には、その先端にアダプタ１０Ａが取り付けられており、このアダプタ１０Ａに、さく孔用ビット２０が装着されている。
【００１８】
次に、上記さく孔用ビット２０、およびこれをロッド６（ロッド本体５）の先端に装着するためのアダプタ１０Ａについてより詳しく説明する。
図１に示すように、このさく孔用ビット２０は、複数の汎用ビット２１，２２から構成されており、これら複数の汎用ビット２１，２２が、アダプタ１０Ａに個別に着脱可能に装着されるようになっている。ここで、このさく孔用ビット２０は、複数の汎用ビット２１，２２として、ロッド６の軸心ＣＬと同軸に配置される第一のビット２１と、それ以外の複数の第二のビット２２とから構成されるが、特に、このアダプタ１０Ａは、これら第一および第二のビット２１，２２を、いずれも当該アダプタ１０Ａを介してロッド６（ロッド本体５）の先端に装着するようになっている。
【００１９】
詳しくは、図１に示すように、このアダプタ１０Ａは、軸心ＣＬと同軸に配置されるセンタアダプタ１２と、そのセンタアダプタ１２にその外側から嵌合するアウタアダプタ１４と、そのアウタアダプタ１４に形成された装着部に装着される複数のインサートピン１６Ａと、各インサートピン１６Ａをアウタアダプタ１４に保持するためのナット１８とを備えて構成されている。そして、このアダプタ１０Ａは、第一のビット２１を、軸心ＣＬと同軸に配置し、複数の第二のビット２２を、第一のビット２１に沿って軸心ＣＬの同心円ＣＣ上での周方向に等配するとともに、第一のビット２１よりもその軸方向での基端側に配設するようになっている。
【００２０】
上記センタアダプタ１２は、図２（ａ）に示すように、その基端側（同図での右側）から順に、略円筒状の大径部１２ａと、横断面が六角形形状の角形軸部１２ｂと、雄ねじ１２ｃとを、軸心ＣＬと同軸に有して形成されている。なお、このセンタアダプタ１２は、貫通孔１２ｅがその軸心に沿って貫通形成されている。
そして、センタアダプタ１２の雄ねじ１２ｃは、第一のビット２１の基端側に形成された雌ねじ２１ａ（図１参照）に螺合可能になっている。また、センタアダプタ１２の大径部１２ａは略円筒状をなし、その内部には、ロッド６（ロッド本体５）の先端に形成された雄ねじ５ａ（図１参照）に螺合可能な雌ねじ１２ｄが軸心ＣＬと同軸に形成されている。さらに、角形軸部１２ｂは、アウタアダプタ１４の装着部になっている。ここで、この角形軸部１２ｂの外形の最大寸法は、前記大径部１２ａの外径よりも小さい寸法になっている。これにより、大径部１２ａの先端側端面１２ｆがいわば鍔部となり、この先端側端面１２ｆが、アウタアダプタ１４の基端側端面１４ｆに軸方向で当接することで、アウタアダプタ１４の基端側への移動を拘束可能に構成されている。
【００２１】
一方、アウタアダプタ１４は、その中心部に、横断面が六角形形状の貫通孔１４ｂを軸心ＣＬに沿って有している。この六角形形状の貫通孔１４ｂは、上記角形軸部１２ｂの六角形形状に対し、これよりも僅かに大きい相似形である。これにより、このアウタアダプタ１４がセンタアダプタ１２の角形軸部１２ｂに外側から嵌合可能であり、また、外側から嵌合したときに、角形軸部１２ｂ上において、その軸方向では相対移動可能であり、相対回転は拘束されるように装着可能に構成されている。
【００２２】
さらに、このアウタアダプタ１４は、図２（ｂ）に示すように、上記インサートピン１６Ａを装着するための装着部として、その周方向に９０°の等間隔に且つ径方向に張り出す張出し部１４ｈを４箇所有しており、これにより、その軸方向から見た形状が十文字形状に形成されている。そして、これらの各張出し部１４ｈには、円形の貫通孔１４ａが周方向に９０°の等間隔にそれぞれ形成されている。各貫通孔１４ａは、前記軸心ＣＬの同心円ＣＣ上の位置に且つ軸心ＣＬと平行に形成されている。そして、各張出し部１４ｈの貫通孔１４ａに、図３に示すインサートピン１６Ａがそれぞれ装入されるようになっている。なお、各張出し部１４ｈそれぞれの端部は、円形の貫通孔１４ａと同心円形状に形成されて丸くなっている。
【００２３】
インサートピン１６Ａは、図３に示すように、その基端側（同図での右側）から順に、小径の雄ねじ部１６ｄと、上記アウタアダプタ１４の貫通孔１４ａよりも僅かに径の小さな第一の軸部１６ａと、軸方向での略中央部に位置して最も径の大きな部分である鍔部１６ｔと、第二のビット２２の基端側に形成された雌ねじ２２ａ（図１参照）が螺着可能な雄ねじ部１６ｃとを同軸に有して形成されている。ここで、第一の軸部１６ａの長さＬ１は、図２（ａ）に示すアウタアダプタ１４の幅Ｔ１よりも長い（Ｌ１＞Ｔ１）。
【００２４】
次に、図４を適宜参照しつつ、上記アダプタ１０Ａおよびさく孔用ビット２０を、さく岩機ユニット１のロッド６（ロッド本体５）の先端に装着する方法およびその装着状態における構造について説明する。
まず、上記さく孔用ビット２０を使用する前の状態において、さく岩機ユニット１のロッド６の先端に、単孔用のビットとして第一のビット２１が装着されている場合には、この第一のビット２１を一旦取り外す。
【００２５】
そして、上記アダプタ１０Ａおよびさく孔用ビット２０を、さく岩機ユニット１のロッド６（ロッド本体５）の先端に装着する際は、まず、図４（ａ）に示すように、アウタアダプタ１４の貫通孔１４ｂに対し、センタアダプタ１２をその雄ねじ１２ｃ側から挿入し、アウタアダプタ１４を、センタアダプタ１２の角形軸部１２ｂの位置に外側から嵌合した状態にする。次いで、各インサートピン１６Ａを、上記アウタアダプタ１４の各貫通孔１４ａに、その雄ねじ部１６ｄ側から挿入し、さらに、その第一の軸部１６ａがアウタアダプタ１４の貫通孔１４ａ内に位置した状態で、挿入側とは反対の側から雄ねじ部１６ｄにナット１８を螺合することでアウタアダプタ１４に装着する。
【００２６】
次いで、図４（ｂ）に示すように、各インサートピン１６Ａの雄ねじ部１６ｃに、複数の第二のビット２２をそれぞれ螺着する。ここで、各インサートピン１６Ａの第一の軸部１６ａは、上述のように、アウタアダプタ１４の貫通孔１４ａよりも僅かに径が小さく、且つ、アウタアダプタ１４の幅Ｔ１よりもその第一の軸部１６ａの長さＬ１が長いので、各インサートピン１６Ａは、アウタアダプタ１４に対し、それぞれ自転可能に装着され、これにより、各アウタアダプタ１４に装着される第二のビット２２それぞれは、各軸まわりに自転可能に装着されるようになっている。
【００２７】
次いで、図４（ｃ）に示すように、上記の装着状態において、ロッド６（ロッド本体５）の先端に形成された雄ねじ５ａに対し、センタアダプタ１２をその大径部１２ａの雌ねじ１２ｄによって螺着する。最後に、センタアダプタ１２先端の雄ねじ１２ｃに、上記単孔用のビットとして用いていた第一のビット２１を、その基端側に形成された雌ねじ２１ａによって螺着することで、図１に示すように、複数の汎用ビット２１，２２から構成されたさく孔用ビット２０がアダプタ１０Ａを介してロッド６（ロッド本体５）の先端に装着される。
【００２８】
これにより、このアダプタ１０Ａは、そのアウタアダプタ１４が、センタアダプタ１２の角形軸部１２ｂに外側から嵌合した装着状態において、これにインサートピン１６Ａを介して装着される複数の第二のビット２２を、第一のビット２１に沿って前記軸心ＣＬの同心円ＣＣ上での周方向での４箇所に等配するとともに、第一のビット２１よりもその軸方向での基端側に配設するようになっている。
【００２９】
次に、この第一の実施形態のアダプタ１０Ａおよびこれを用いたさく岩機ユニット１の作用・効果について説明する。
このさく岩機ユニット１を用いて、一連のさく孔作業を行なって心抜き孔のさく孔をする場合には、まず、図５（ａ）に示すように、さく孔をすべき位置付近までさく岩機ユニット１を移動させる。そして、壁面Ｆに対し、さく孔をするのに必要な位置にさく岩機ユニット１を位置決めし、ドリフタ２を駆動してさく孔作業を開始する。
【００３０】
次いで、図５（ｂ）に示すように、ロッド６を回転させつつ、ガイドシェル上でドリフタ２をフィードすることにより、ロッド６先端のさく孔用ビット２０で心抜き孔Ｒのさく孔を行なうことができる。
ここで、このさく岩機ユニット１によれば、そのアダプタ１０Ａは、さく孔用ビット２０を、個別に着脱可能な複数の汎用ビット２１，２２から構成可能になっているので、例えば大口径のさく孔に一般的に用いられる専用の親子ビットを用いなくとも、比較的安価な汎用ビットを複数用い、その複数の汎用ビットから構成されるさく孔用ビットによって大口径ＤＡのさく孔が可能である。したがって、経済性に優れている。
【００３１】
そして、このアダプタ１０Ａによれば、さく孔用ビット２０を構成する複数の汎用ビット２１，２２は、個別に着脱可能なので、例えばこれを構成する複数の汎用ビット個々の消耗や損傷の程度に応じて個別に交換が可能であり、また、岩盤等の硬岩部の状況に合わせて、装着する汎用ビット２１，２２の種類（例えば、ボタンビット、クロスビット、超硬チップの硬度等）を適切な種類の汎用ビットに適宜交換可能である。
【００３２】
また、このアダプタ１０Ａによれば、複数の汎用ビット２１，２２を、軸心ＣＬと同軸に配置される第一のビット２１と、その第一のビット２１に沿ってその周囲に等配される複数の第二のビット２２とによって構成するようになっているので、中心に位置する第一のビット２１を適切な種類の他の汎用ビットに交換したり、あるいは、第二のビット２２を適切な種類の他の汎用ビットに交換したりすることによって、岩盤等の硬岩部の状況に合わせた好適なビット構成とする上で好適である。
【００３３】
さらに、このアダプタ１０Ａによれば、第一のビット２１および第二のビット２２は、いずれも当該アダプタ１０Ａを介してロッド６の先端に装着されるようになっているので、さく孔用ビット２０を構成する第一のビット２１および第二のビット２２が共にアダプタ１０Ａに装着される。そのため、さく孔長を多くとりたい場合に好適である。
また、このアダプタ１０Ａによれば、複数の第二のビット２２は、ロッド６に対し、その軸方向では所定の範囲Ｓで相対移動可能であり、相対回転は拘束されるように装着されるようになっているので、当該アダプタ１０Ａの着脱が容易である。そのため、アダプタの換装やそのメンテナンス作業を容易とする上で好適である。
【００３４】
また、このアダプタ１０Ａによれば、複数の第二のビット２２それぞれは、自転可能に装着されるようになっている。つまり、例えばＴＢＭ（トンネルボーリングマシン）やシールドマシンのカッタと同様に、第一のビット２１に沿ってその周囲に等配される第二のビット２２が個別に自転可能なので、さく孔性能を向上させる上で好適である。
また、このアダプタ１０Ａによれば、これに装着可能な複数の第二のビット２２の等配数が４であり、その軸方向から見た形状が十文字形状になっているので、隣接する複数の第二のビット２２同士の間に、軸方向に沿った隙間を設けることができる。そのため、この軸方向に沿った隙間から繰粉を効率よく排出させることができる。したがって、繰粉の排出性を向上させる構成とする上で好適である。
【００３５】
以上説明したように、このアダプタ１０Ａおよびこれを用いたさく岩機ユニット１によれば、汎用ビットを使用可能とし、また、汎用ビットを用いた場合であっても、岩盤等の硬岩部の状況に合わせて適切な種類の汎用ビットに適宜交換することができる。
次に、本発明の第二の実施形態について、図６ないし図１０を適宜参照しつつ説明する。なお、上記説明した第一の実施形態と同様の構成については同一の符号を付し、その説明を適宜省略する。
【００３６】
図６は本発明に係るさく孔装置の第二の実施形態であるさく岩機ユニットの要部の説明図である。
同図に示すように、この第二の実施形態のさく岩機ユニット１は、そのロッド６には、その先端にアダプタ１０Ｂが取り付けられ、また、さく孔用ビット２０が装着されている。ここで、上記第一の実施形態では、さく孔用ビット２０を構成する第一および第二のビット２１，２２は、いずれもアダプタ１０Ａを介してロッド６（ロッド本体５）の先端に装着されるようになっている例を説明したが、この第二の実施形態では、第一のビット２１は、ロッド６（ロッド本体５）の先端に直接装着され、複数の第二のビット２２は、アダプタ１０Ｂを介してロッド６（ロッド本体５）の先端に装着されるようになっている点が上記第一の実施形態とは異なっている。
【００３７】
詳しくは、図６に示すように、この第二の実施形態のアダプタ１０Ｂは、上記第一の実施形態でのセンタアダプタ１２を有していない。そして、アウタアダプタ１４は、その貫通孔１４ｂが、ロッド本体５のもつ六角形形状の角形軸部５ｂに相似かつ僅かに大きい形状になっており、このアウタアダプタ１４が、ロッド本体５に対しその外側から直接嵌合するようになっている。そして、このアウタアダプタ１４とスリーブ４との間には、ディスタンスカラー４０が介装されるようになっている。
【００３８】
このディスタンスカラー４０は、略筒状の部材であり、ロッド本体５に沿った筒状の本体部４０ａと、その本体部４０ａの両端にそれぞれ設けられて径方向に張り出す円環状の鍔部４０ｂとを有して構成されている。本体部４０ａの内形は、ロッド本体５のもつ六角形形状の角形軸部５ｂに相似かつ僅かに大きい形状に形成されており、ロッド本体５にこれと同軸に外側から嵌合可能になっている。なお、ディスタンスカラー４０の全長は、アウタアダプタ１４を装着するために必要な部分を除き、ロッド本体５のもつ六角形形状の角形軸部５ｂの部分を覆う長さになっている（図９（ｂ）参照）。
【００３９】
そして、この第二の実施形態のアウタアダプタ１４には、図７に示すように、上記第一の実施形態同様に、各張出し部１４ｈの貫通孔１４ａに、図８に示すインサートピン１６Ｂがそれぞれ装入されるようになっている。
ここで、このインサートピン１６Ｂは、図８に示すように、その基端側（同図での右側）から順に、上記アウタアダプタ１４の貫通孔１４ａよりも僅かに径の小さな第一の軸部１６ａと、軸方向での略中央部に位置して最も径の大きな部分である鍔部１６ｔと、第二のビット２２が外側から嵌合可能な第二の軸部１６ｆとを同軸に有して形成されている。つまり、このインサートピン１６Ｂは、上記第一の実施形態でのインサートピン１６Ａに比べ、小径の雄ねじ部１６ｄを有しておらず、また、上記雄ねじ部１６ｃに変えて第二の軸部１６ｆを有している点が異なっている。なお、この第二の実施形態では、第二のビット２２の基端側の雌ねじ２２ａを、第二の軸部１６ｆに対し外側から嵌合するとともに、その軸回りに回転可能な内径を有する有底穴として用いており、この雌ねじ２２ａによる有底穴が上記第二の軸部１６ｆに外側から嵌合するようになっている。
【００４０】
次に、図９を適宜参照しつつ、上記アダプタ１０Ｂおよびさく孔用ビット２０を、この第二の実施形態のさく岩機ユニット１のロッド６（ロッド本体５）の先端に装着する方法およびその装着状態における構造について説明する。
上記アダプタ１０Ｂおよびさく孔用ビット２０を、さく岩機ユニット１のロッド６（ロッド本体５）の先端に装着する際は、まず、図９（ａ）に示すように、ロッド本体５に対し、ディスタンスカラー４０を挿入する。
【００４１】
次いで、図９（ｂ）に示すように、アウタアダプタ１４の貫通孔１４ｂに対し、各インサートピン１６Ｂの第一の軸部１６ａを先端側から挿入し、次いで、各インサートピン１６Ｂの第二の軸部１６ｆに対し、第二のビット２２を、その雌ねじ２２ａを用いた有底穴によって外側から嵌合させる。
ここで、各インサートピン１６Ｂの第一の軸部１６ａは、アウタアダプタ１４の貫通孔１４ａよりも僅かに径が小さく、且つ、アウタアダプタ１４の貫通孔１４ｂに挿入されるだけなので、各インサートピン１６Ｂは、アウタアダプタ１４に対し、それぞれ自転可能である。そして、第二のビット２２は、各インサートピン１６Ｂの第二の軸部１６ｆにその軸まわりに回転可能に外側から嵌合されるだけなので、複数の第二のビット２２それぞれは、各軸まわりに自転可能に装着される。
【００４２】
次いで、図４（ｃ）に示すように、上記アウタアダプタ１４をロッド本体５の角形軸部５ｂに外側から嵌合し、さらに、ロッド６（ロッド本体５）の先端に形成された雄ねじ５ａに対し、第一のビット２１を、その基端側に形成された雌ねじ２１ａによって直接螺着する。これにより、図１に示すように、複数の汎用ビット２１，２２から構成されたさく孔用ビット２０がロッド６（ロッド本体５）の先端に装着される。
【００４３】
このような構成であっても、この第二の実施形態のアダプタ１０Ｂは、そのアウタアダプタ１４が、ロッド本体５の角形軸部５ｂに外側から嵌合した装着状態において、これにインサートピン１６Ｂを介して装着される複数の第二のビット２２を、第一のビット２１に沿って前記軸心ＣＬの同心円ＣＣ上での周方向での４箇所に等配するとともに、第一のビット２１よりもその軸方向での基端側に配設可能である。
【００４４】
ここで、この装着状態において、複数の第二のビット２２が装着される同心円ＣＣの位置は、第一のビット２１先端の大径の部分は、複数の第二のビット２２先端の大径の部分に対し、上記第一の実施形態同様に、軸方向の先端側において当接（干渉）する位置になっている。一方、この第二実施形態では、軸方向の後端側においては、ディスタンスカラー４０の円環状の鍔部４０ｂにアウタアダプタ１４が当接することで、軸方向の後端側への移動が拘束される。これにより、上記第一の実施形態同様に、角形軸部５ｂ上でのアウタアダプタ１４を装着するために必要な部分における所定の範囲内に軸方向での移動が拘束される。つまり、複数の第二のビット２２は、その軸方向において、図６（ｂ）に示す符号Ｓを所定の範囲として、この所定の範囲Ｓにて軸方向での相対移動が可能であり、相対回転は拘束されるように装着される。
【００４５】
次に、この第二の実施形態のアダプタ１０Ｂおよびこれを用いたさく岩機ユニット１の作用・効果について説明する。
この第二の実施形態のさく岩機ユニット１を用いて、一連のさく孔作業を行なって心抜き孔のさく孔をする場合には、上記第一の実施形態同様に、まず、図１０（ａ）に示すように、さく孔をすべき位置付近までさく岩機ユニット１を移動させる。そして、壁面Ｆに対し、さく孔をするのに必要な位置にさく岩機ユニット１を位置決めし、ドリフタ２を駆動してさく孔作業を開始する。
【００４６】
次いで、図１０（ｂ）に示すように、ロッド６を回転させつつ、ガイドシェル上でドリフタ２をフィードすることにより、ロッド６先端のさく孔用ビット２０で心抜き孔Ｒのさく孔を行なうことができる。
そして、この第二の実施形態のアダプタ１０Ｂについても、上記第一の実施形態同様に、さく孔用ビット２０を、個別に着脱可能な複数の汎用ビット２１，２２から構成可能になっているので、例えば大口径のさく孔に一般的に用いられる専用の親子ビットを用いなくとも、比較的安価な汎用ビットを複数用い、その複数の汎用ビットから構成されるさく孔用ビットによって大口径ＤＡのさく孔が可能である。したがって、経済性に優れている。
【００４７】
また、このアダプタ１０Ｂによれば、さく孔用ビット２０を構成する複数の汎用ビット２１，２２は、個別に着脱可能なので、上記第一の実施形態同様に、適切な種類の汎用ビットに適宜交換可能である。
また、このアダプタ１０Ｂによれば、複数の汎用ビット２１，２２を、軸心ＣＬと同軸に配置される第一のビット２１と、その第一のビット２１に沿ってその周囲に等配される複数の第二のビット２２とによって構成するようになっているので、上記第一の実施形態同様に、岩盤等の硬岩部の状況に合わせた好適なビット構成とする上で好適である。
【００４８】
また、このアダプタ１０Ｂによれば、第一のビット２１は、ロッド６（ロッド本体５）の先端に直接装着され、第二のビット２２は、当該アダプタ１０Ｂを介してロッド６の先端に装着されるようになっているので、上記第一の実施形態でのセンタアダプタ１２を不要とすることができる。また、インサートピン１６Ｂについても、上記第一の実施形態でのナット１８を用いることなく、アウタアダプタ１４の貫通孔１４ａに挿入するだけなので、アダプタを含め、装置の構成を簡素にする上で好適である。
【００４９】
また、このアダプタ１０Ｂによれば、複数の第二のビット２２についても、インサートピン１６Ｂの第二の軸部１６ｆに、自転可能に装着されるようになっているので、上記第一の実施形態同様に、さく孔性能を向上させる上で好適である。
また、このアダプタ１０Ｂによれば、これに装着可能な複数の第二のビット２２の等配数が４であり、その軸方向から見た形状が十文字形状になっているので、上記第一の実施形態同様に、繰粉の排出性を向上させる構成とする上で好適である。
【００５０】
なお、本発明に係るさく孔装置用アダプタおよびさく孔装置は、上記各実施形態に限定されるものではなく、本発明の趣旨を逸脱しなければ種々の変形が可能である。
例えば、上記各実施形態では、複数の第二のビット２２は、ロッド６に対し、その軸方向では所定の範囲Ｓで相対移動可能であり、相対回転は拘束されるように装着されるようになっている例で説明したが、これに限定されず、例えば軸方向での移動をも拘束して装着する構成としてもよい。しかし、アダプタの着脱を容易とし、アダプタの換装やそのメンテナンス作業を容易とする上では、上記各実施形態のように、複数の第二のビットは、ロッドに対し、その軸方向では所定の範囲で相対移動可能であり、相対回転は拘束されるように装着されるようになっていることは好ましい。
【００５１】
また、例えば、上記各実施形態では、複数の第二のビット２２それぞれは、自転可能に装着されるようになっている例で説明したが、これに限定されず、複数の第二のビット２２それぞれを自転させない固定構造としてもよい。しかし、さく孔性能を向上させる上では、複数の第二のビットそれぞれは、自転可能に装着されるようになっていることは好ましい。
【００５２】
また、例えば、上記各実施形態では、このアダプタ１０Ａ，１０Ｂに装着可能な複数の第二のビット２２の等配数が４であり、その軸方向から見た形状が十文字形状になっている例で説明したが、これに限定されず、複数の第二のビット２２の等配数を３としてよいし、また、等配数を５以上としてもよい。しかし、上記各実施形態のように、装着可能な複数の第二のビットの等配数を４とし、その軸方向から見た形状を十文字形状に構成すれば、繰粉の排出性を向上させる構成とする上で好適である。
【図面の簡単な説明】
【００５３】
【図１】本発明に係るさく孔装置の第一の実施形態であるさく岩機ユニットの要部の説明図である。なお、同図（ａ）は同図（ｂ）でのＡ−Ａ断面図であり、また、同図（ｂ）は、さく岩機ユニット要部の正面図であり、同図では軸線よりも下側を、その軸線を含む断面で示している。
【図２】本発明に係るさく孔装置用アダプタの第一の実施形態を説明する図であり、同図（ａ）はそのアダプタを構成するセンタアダプタおよびアウタアダプタを説明するための正面図であり、同図では、アウタアダプタを軸線を含む断面で示している。また、同図（ｂ）は同図（ａ）での右側面図である。
【図３】本発明に係るさく孔装置用アダプタの第一の実施形態を説明する図であり、同図はそのアダプタを構成するインサートピンを説明するための正面図である。
【図４】第一の実施形態に係るアダプタおよびさく孔用ビットを、さく岩機ユニットのロッドの先端に装着する方法およびその装着状態における構造を説明する図である。
【図５】第一の実施形態に係るさく孔装置用アダプタを備えるさく岩機ユニットでのさく孔作業の説明図である。
【図６】本発明に係るさく孔装置の第二の実施形態であるさく岩機ユニットの要部の説明図である。なお、同図（ａ）は同図（ｂ）でのＢ−Ｂ断面図であり、また、同図（ｂ）は、さく岩機ユニット要部の正面図であり、同図では軸線よりも下側を、その軸線を含む断面で示している。
【図７】本発明に係るさく孔装置用アダプタの第二の実施形態を説明する図であり、同図（ａ）はそのアダプタを構成するアウタアダプタを説明するための正面図であり、同図では、その軸線を含む断面で示している。また、同図（ｂ）は同図（ａ）での右側面図である。
【図８】本発明に係るさく孔装置用アダプタの第二の実施形態を説明する図であり、同図はそのアダプタを構成するインサートピンを説明するための正面図である。
【図９】第二の実施形態に係るアダプタおよびさく孔用ビットを、さく岩機ユニットのロッドの先端に装着する方法およびその装着状態における構造を説明する図である。
【図１０】第二の実施形態に係るさく孔装置用アダプタを備えるさく岩機ユニットでのさく孔作業の説明図である。
【符号の説明】
【００５４】
１    さく岩機ユニット（さく孔装置）
２    ドリフタ
３    シャンクロッド
４    スリーブ
５    ロッド本体
６    ロッド
１０Ａ，１０Ｂ    （さく孔装置用）アダプタ
１２    センタアダプタ
１４    アウタアダプタ
１６Ａ，１６Ｂ    インサートピン
１８    ナット
２０    さく孔用ビット
２１    第一のビット（汎用ビット）
２２    第二のビット（汎用ビット）
４０    ディスタンスカラー
【図１】
2008106527.tif 000003
【図２】
2008106527.tif 000004
【図３】
2008106527.tif 000005
【図４】
2008106527.tif 000006
【図５】
2008106527.tif 000007
【図６】
2008106527.tif 000008
【図７】
2008106527.tif 000009
【図８】
2008106527.tif 000010
【図９】
2008106527.tif 000011
【図１０】
2008106527.tif 000012